(57)【要約】【課題】冬期などに給湯器本体に電源が通電されずに放置された場合や水抜きが実施されなかった場合でも、合成樹脂製の湯水混合器や流量検出器の破損を防止することができる配管内蔵型貯湯式給湯装置を提供する。【解決手段】加熱手段１７により内部の水を加熱して湯として貯える貯湯タンク６と、水源の水を送る給水配管３と、給水配管３から分岐して貯湯タンク６に水を送るタンク下部給水管５ａと、貯湯タンク６に貯えられた湯を送る給湯配管８と、給水配管３の水と給湯配管８の湯を混合する合成樹脂製の湯水混合器１１と、湯水混合器１１からの湯量を検出する合成樹脂製の流量検出器１２と、湯水混合器１１からの混合湯を送る混合出湯配管１３とを備え、湯水混合器１１や流量検出器１２の下流側にある混合出湯配管１３途中に凍結時の体積膨張を吸収する空気溜まり部１５を設けた。【選択図】        図１
2006349200.tif 000002
【特許請求の範囲】
【請求項１】
加熱手段により内部の水を加熱して湯として貯える貯湯タンクと、水源の水を送る給水配管と、この給水配管から分岐して前記貯湯タンクに水を送るタンク下部給水管と、前記貯湯タンクに貯えられた湯を送る給湯配管と、前記給水配管の水と前記給湯配管の湯を混合する合成樹脂製の湯水混合器と、前記湯水混合器からの湯量を検出する合成樹脂製の流量検出器と、前記湯水混合器からの混合湯を送る混合出湯配管とを備え、
前記湯水混合器及び流量検出器の下流側にある混合出湯配管の途中に、凍結時の体積膨張を吸収する空気溜まり部を設けたことを特徴とする配管内蔵型貯湯式給湯装置。
【請求項２】
前記混合出湯配管と空気溜まり部を配管により一体に構成したことを特徴とする請求項１記載の配管内蔵型貯湯式給湯装置。
【発明の詳細な説明】
【技術分野】
【０００１】
本発明は、主として電気ヒータやヒートポンプユニットを熱源とする家庭用の配管内蔵型貯湯式給湯装置に関するものである。
【背景技術】
【０００２】
従来の配管内蔵型貯湯式給湯装置では、冬期において本体内における配管の凍結予防を行うために、本体を使用していない場合でも本体電源を通電させておくか、本体施工指導に基づいた所定の水抜きを実施するようにしている。配管内蔵型貯湯式給湯装置では、水源側は鋳造品や銅製品によって構成されているが、給湯側には合成樹脂部品が使用されることが多い。合成樹脂部品は凍結による体積膨張によって破損を生ずるおそれがあるが、合成樹脂部品の内部に凍結時の体積膨張を吸収するための空気室を設けている（例えば、特許文献１参照)。
【０００３】
【特許文献１】特開平１１−２８１１５７号公報（第２−３頁、図２）
【発明の開示】
【発明が解決しようとする課題】
【０００４】
配管内蔵型貯湯式給湯装置では、冬期などに電源を通電せずに水抜きされない状態で貯湯タンク内に満水して放置しておくと、本体外板と接する銅合金製の給湯口や給水口の温度が低下して凍結し、更に給湯口や給水口に接続する混合出湯配管や給水配管の温度が低下し、内部の水が凍結してしまう。給水配管部は凍結しても閉塞されてはいないが、混合出湯配管部は閉塞状態であるため、その手前に接続されている合成樹脂製の湯水混合器や流量検出器に凍結時の体積膨張が集中し、損傷や亀裂が生じて水漏れが発生することがあった。また、それを防止するために、湯水混合器や流量検出器の内部に凍結時の体積膨張を吸収する空気室を設けると、部品そのものが大きくなってしまうため、部品配置に制限が出たり、部品そのものがコストアップしてしまうという問題があった。
【０００５】
本発明は、上記のような課題を解決するためになされたもので、冬期などに給湯器本体に電源が通電されずに放置された場合や、水抜きが実施されなかった場合でも、混合出湯配管に接続された合成樹脂製の湯水混合器や流量検出器が破損するのを防止することができる配管内蔵型貯湯式給湯装置を提供することを目的としている。
【課題を解決するための手段】
【０００６】
本発明に係る配管内蔵型貯湯式給湯装置は、加熱手段により内部の水を加熱して湯として貯える貯湯タンクと、水源の水を送る給水配管と、給水配管から分岐して貯湯タンクに水を送るタンク下部給水管と、貯湯タンクに貯えられた湯を送る給湯配管と、給水配管の水と給湯配管の湯を混合する合成樹脂製の湯水混合器と、湯水混合器からの湯量を検出する合成樹脂製の流量検出器と、湯水混合器からの混合湯を送る混合出湯配管とを備え、混合出湯配管管内の水が凍結した際に合成樹脂製の湯水混合器及び湯量検出器の凍結による破損を防止するために、湯水混合器と流量検出器の下流側に位置する混合出湯配管途中に凍結時の体積膨張を吸収する空気溜まり部を設け、凍結時の湯水混合器及び湯量検出器の凍結による破損を防止するようにしたものである。
【発明の効果】
【０００７】
本発明に係る配管内蔵型貯湯式給湯装置によれば、冬期などに給湯器本体に電源が通電されずに放置された場合や水抜きが実施されなかった場合でも、混合出湯配管に接続された空気溜まり部によって、合成樹脂製の湯水混合器や流量検出器が、凍結による水の体積膨張によって破損することがない。
【発明を実施するための最良の形態】
【０００８】
実施の形態１．
図１は本発明の実施の形態１に係る配管内蔵型貯湯式給湯装置の構成図である。図において、給湯器本体１には貯湯タンク６が設けられ、貯湯タンク６内にはタンク貯湯水を所定の温度まで沸き上げる加熱手段である発熱体１７が取り付けられている。給湯器本体１内には一次の水源Ａと接続される給水口２が設けられ、給水口２と減圧弁４とが給水配管３によって接続されている。減圧弁４からはここより分岐して貯湯タンク１の下部に接続するタンク下部給水配管５ａが設けられており、給水口２から減圧弁４を通り、タンク下部給水配管５ａを経由して、貯湯タンク６に給水される。なお、貯湯タンク６に接続したタンク下部給水配管５ａには、貯湯タンク６内の湯水を排水する排水バルブ７が設けられている。
【０００９】
給湯器本体１には、また、貯湯タンク６内に貯湯された湯と給水配管３からの水を混合し、設定された所定の温度にする合成樹脂製の湯水混合器１１が設けられ、湯水混合器１１の水側には減圧弁４から分岐されたタンク上部給水配管５ｂが接続され、湯水混合器１１の湯側には貯湯タンク６の上部から出る給湯配管８が接続されている。そして、湯水混合器１１と給湯配管８及びタンク上部給水配管５ｂとが接続する部分には、給湯配管８及びタンク上部給水配管５ｂにそれぞれ第１、第２の逆止弁１０ａ，１０ｂが設置されている。なお、給湯配管８には、貯湯タンク２内の水を沸き上げたときの膨張水を排出する逃し弁９が設けられている。
【００１０】
湯水混合器１１の下流側には湯水混合器１１から出湯された流量を検知する合成樹脂製の流量検出器１２が設けられ、湯水混合器１１及び流量検出器１２の下流側には流量検出器１２から給湯口１４までを接続する混合出湯配管１３が設置されている。そして、給湯口１３からは、住宅内のカランやシャワー口Ｂまでシステム配管工事されて接続されている。混合出湯配管１３の途中には空気を保持するパイプからなる空気溜まり部１５が接続されている。この空気溜まり部１５は、例えば、図２に示すように、混合出湯配管１３から分岐した例えばほぼＬ字状をなす配管によって構成されており、混合出湯配管１３とは例えばロー付け１６により接続され、混合出湯配管１３と連通して上方に立ち上がる立設管１５ａと、この立設管１５ａより混合出湯配管１３の上流側に向かって混合出湯配管１３とほぼ平行に形成され端部は閉塞部１７によって閉塞された平行管１５ｂとによって構成され、ある所定長さを確保して内部に空気を密閉した状態にしてある。なお、立設管１５ａから平行管１５ｂに到る折曲り部１５ｃは円弧状に構成されている。
【００１１】
空気溜まり部１５の立設管１５ａから平行管１５ｂに到る折曲り部１５ｃは円弧状でなく、直角になるように形成してもよい。また、空気溜まり部１５はほぼＬ字状に形成したが、内部に空気を密閉した状態にできるものであれば他の形状であってもよい。
このように、空気溜まり部１５は混合出湯配管１３から分岐して所定長さを確保して端部を閉塞するだけでよく、混合出湯配管１３との分岐部はロー付けなどによって一体化することも可能であり、極めて簡素に構成することができて、コストを抑制することもできる。
【００１２】
次に、本発明の実施の形態１に係る配管内蔵型貯湯式給湯装置の作用について説明する。給湯器本体１の設置直後は、試運転を実施するために給水口２より貯湯タンク６内に給水される。試運転の終了後にすぐに使用しない場合は、排水バルブ７より貯湯タンク６や給水配管３、給湯配管８及び混合出湯配管１３内の水を抜くか、もしくはそのまま電源を通電しておく。
【００１３】
電源が通電されず、貯湯タンク６内の水抜きを実施しないままで冬期に放置されると、外板との接触がある給水口２や給湯口１４の温度が低下し、配管内部が凍結する場合がある。給水口２側は、内部が凍結しても第２の逆止弁１０ｂが順方向であるため破損には至らないが、給湯口１４側は、湯水混合器１２手前の第１の逆止弁１０ａにより閉塞されているため、凍結時の体積膨張分は混合出湯配管１３の途中にある空気溜まり部１５によって吸収され、その手前にある合成樹脂製の流量検出器１２や湯水混合器１１の破損を確実に防止することができる。
【図面の簡単な説明】
【００１４】
【図１】本発明の実施の形態１に係る配管内蔵型貯湯式給湯装置の構成図である。
【図２】図１の空気溜まり部の構成図である。
【符号の説明】
【００１５】
１  給湯器本体、２  給水口、３  給水配管、４  減圧弁、５ａ  タンク下部給水配管、５ｂ  タンク上部給水配管、６  貯湯タンク、７  排水バルブ、８  給湯配管、９  逃し弁、１０ａ，１０ｂ  第１、第２の逆止弁、１１  湯水混合器、１２  流量検出器、１３  混合出湯配管、１４  給湯口、１５  空気溜まり部、１７  発熱体（加熱手段）。
【図１】
2006349200.tif 000003
【図２】
2006349200.tif 000004